(57)【特許請求の範囲】
【請求項１】
カメラと；該カメラとは別個に形成され、レリーズのモードを指定してレリーズ実行を前記カメラに指示するリモコンレリーズ信号を送信するリモコン装置と；を有し、
前記カメラは、
撮影光学系から入射した被写体光束をファインダー光学系に導く被写体観察位置と、前記被写体光束が露光面に入射するのを許容する撮影位置とに移動するミラーと、
前記リモコンレリーズ信号を受信する受信手段と、
該受信手段を介して入力したリモコンレリーズ信号が指示するモードでレリーズを実行する制御手段とを備えていて、
前記リモコン装置は、
前記カメラに指示可能なレリーズのモードに対応する複数の操作部材と、
前記操作部材が操作されたときに、該対応するモードのリモコンレリーズ信号を発信させる信号発信手段とを備え、
前記レリーズのモードとして少なくとも、前記ミラーを前記撮影位置に移動させてから所定時間経過後に露出動作するミラーアップ後セルフタイマモードを前記カメラに指示するリモコンレリーズ信号を送信すること、
を特徴とするリモコン撮影機能を備えたカメラ。
【請求項２】
請求項１記載のリモコン撮影機能を備えたカメラにおいて、前記リモコン装置は、さらに、前記レリーズのモードとして、前記所定時間よりも長いタイマ時間経過後に前記ミラーを前記撮影位置に移動させて露出動作させるセルフタイマモードを前記カメラに指示するリモコンレリーズ信号を送信するリモコン撮影機能を備えたカメラ。
【請求項３】
請求項１または２記載のリモコン撮影機能を備えたカメラにおいて、前記リモコン装置は、さらに、前記レリーズのモードとして、前記ミラーを前記撮影位置に移動させて露出動作する通常レリーズモードを前記カメラに指示するリモコンレリーズ信号を送信するリモコン撮影機能を備えたカメラ。
【請求項４】
請求項３記載のリモコン撮影機能を備えたカメラにおいて、前記カメラは、前記ミラーアップ後セルフタイマモード、前記セルフタイマモード、前記通常レリーズモードを少なくとも含む複数のレリーズのモードのうち、いずれか１つを選択可能なモード選択手段を備え、
前記制御手段は、前記通常レリーズモードを指示するリモコンレリーズ信号を入力したときは、前記モード選択手段が選択したモードでレリーズを実行するリモコン撮影機能を備えたカメラ。
【発明の詳細な説明】
【０００１】
【発明の技術分野】
本発明は、被写体観察位置と撮影位置に移動するミラーを備え、リモコン操作による撮影が可能なカメラに関する。
【０００２】
【従来技術およびその問題点】
例えば一眼レフカメラでは、撮影レンズからカメラボディ内に入射した被写体光束をファインダー光学系に導くミラーを備え、通常は撮影レンズの光路内に進出した被写体観察位置にミラーを位置させて、ファインダー光学系を介して被写体を観察できるようにする一方、撮影時はミラーを上昇駆動させて撮影光路中から退避した撮影位置に位置させる（ミラーアップ動作）ものが知られている。このタイプの一眼レフカメラにおいては、長時間露光を行う際に、ミラーアップ動作停止時に生じる機械的振動によって撮影画像のぶれやフレーミング移動が生じることがあった。
【０００３】
【発明の目的】
本発明は、フレーミングのずれを防止できるリモコン撮影機能を備えたカメラを提供することを目的とする。
【０００４】
【発明の概要】
本発明は、カメラと、該カメラとは別個に形成され、レリーズモードを指定してレリーズ実行を前記カメラに指示するリモコンレリーズ信号を送信するリモコン装置とを有し、前記カメラは、撮影光学系から入射した被写体光束をファインダー光学系に導く被写体観察位置と、前記被写体光束が露光面に入射するのを許容する撮影位置とに移動するミラーと、前記リモコンレリーズ信号を受信する受信手段と、該受信手段を介して入力したリモコンレリーズ信号が指示するモードでレリーズを実行する制御手段とを備えていて、前記リモコン装置は、前記カメラに指示可能なレリーズのモードに対応する複数の操作部材と、前記操作部材が操作されたときに、該対応するモードのリモコンレリーズ信号を発信させる信号発信手段とを備え、前記レリーズモードとして少なくとも、前記ミラーを前記撮影位置に移動させてから所定時間経過後に露出動作するミラーアップ後セルフタイマモードを前記カメラに指示するリモコンレリーズ信号を送信すること、に特徴を有する。この構成によれば、ミラーアップ停止時の衝撃の影響を受けずに露出動作を実行できる。
【０００５】
【発明の実施の形態】
以下、図面に基づいて本発明の実施の形態を説明する。図１は本発明を適用した一眼レフカメラの制御系の主要構成を示すブロック図である。カメラ１は、図示しないが、撮影レンズからカメラ１内に入射した被写体光束を、ファインダー光学系（ペンタプリズム）へ導く被写体観察位置と、露光面（フィルム面）に入射するのを許容する撮影位置とに移動するミラーを備えている。
【０００６】
ＣＰＵ１０は、カメラ１の機能に関するプログラム等が書き込まれたＲＯＭ、制御用または演算用の各種パラメータなどを一時的に記憶するＲＡＭ、入力信号をＡ／Ｄ変換するＡ／Ｄ変換回路１０ａを内蔵しており、カメラ１の動作を総括的に制御する制御手段として機能する。ＣＰＵ１０には、カメラ１のバッテリ室（図示せず）に装填されたバッテリ１１の電圧が電圧レギュレータ１３を介して定電圧として供給される。ＣＰＵ１０は、電圧レギュレータ１３から供給された定電圧によって発振子１５を作動させ、発振子１５から出力されるクロックパルスに同期して所定の動作を実行する。
【０００７】
ＣＰＵ１０には、スイッチ類として、シャッタボタン（不図示）の半押しでオンする測光スイッチＳＷＳ、シャッタボタンの全押しでオンするレリーズスイッチＳＷＲ、リモコン撮影機能が設定されているときにオンするリモコンスイッチＳＷｒｍ、メインスイッチＳＷＭが接続されている。メインスイッチＳＷＭがオンすると、ＣＰＵ１０が起動して周辺部材に電力供給を開始し、操作されたスイッチに応じた処理を実行する。
【０００８】
測光スイッチＳＷＳがオンするとＣＰＵ１０は、測光用ＩＣ２５の測光信号およびフィルム感度等に基づいてＡＥ演算を実行し、最適なシャッター速度および絞り値を算出する。測光用ＩＣ２５は、被写体観察位置にあるミラーによってペンタプリズムに導かれペンタプリズムから射出された被写体光束の一部を受光し、その受光量に対応する電気信号（測光信号）をＣＰＵ１０へ出力する。測光用ＩＣ１７の出力はＡ／Ｄ変換回路１０ａでＡ／Ｄ変換されてＣＰＵ１０に入力される。
【０００９】
レリーズスイッチＳＷＲがオンするとＣＰＵ１０は、レリーズ処理を実行する。レリーズ処理では、ミラー制御回路２１を介してミラーモータ（不図示）を作動させてミラーを撮影位置までアップさせ、ＡＥ演算で求めた最適絞り値に基づいて絞り制御回路１９を作動させて撮影レンズの絞りを絞り込み、最適シャッター速度に基づいてシャッター制御回路１７を作動させてフィルムに露出する。露出が終了すると、ミラー制御回路２１を介してミラーモータを作動させてミラーを被写体観察位置までダウンさせると共に、シャッター先幕、後幕走行ばねをチャージさせる。さらにＣＰＵ１０は、フィルム制御回路２３を介してフィルムモータ（不図示）を作動させ、フィルムを１コマ分巻き上げる。
【００１０】
本実施形態では、上記レリーズ処理のモードとして、通常レリーズモード、１０秒セルフタイマモード、ミラーアップ後２秒セルフタイマモードの３態様がある。通常レリーズモードでは、上述のように、レリーズ実行指令を受けたらミラーアップを開始して露出動作する。１０秒セルフタイマモードでは、レリーズ実行指令を受けたら１０秒間待機し、１０秒経過したときにミラーアップを開始して露出動作する。ミラーアップ後２秒セルフタイマモードでは、レリーズ実行指令を受けたらミラーを撮影位置までアップさせて２秒間待機し、２秒経過したときに露出動作する。
【００１１】
リモコンスイッチＳＷｒｍがオンするとＣＰＵ１０は、リモコンレリーズ信号の受信待機状態となり、リモコン操作によるレリーズ（撮影）を可能とする。この状態でリモコン装置６０（図２）からリモコンレリーズ信号が送信されると、ＣＰＵ１０はリモコン信号受光ＩＣ２７を介してリモコンレリーズ信号を入力する。リモコンレリーズ信号は、レリーズ実行のほか、レリーズのモードを指示するものである。本実施形態では、リモコンレリーズ信号として、通常レリーズモードを指示する通常リモコンレリーズ信号、１０秒セルフタイマモードを指示する１０秒セルフタイマリモコンレリーズ信号、ミラーアップ後２秒セルフタイマモードを指示するミラーアップ後２秒セルフタイマリモコンレリーズ信号がある（図３参照）。
ＣＰＵ１０は、通常リモコンレリーズ信号を入力した場合にはすぐにミラーアップを開始して露出動作し、１０秒セルフタイマリモコンレリーズ信号を入力した場合には、１０秒間待機してからミラーアップを開始して露出動作する。そしてＣＰＵ１０は、ミラーアップ後２秒セルフタイマリモコンレリーズ信号を入力した場合には、ミラー制御回路２１を介してミラーを撮影位置までアップさせるとともに絞り制御回路１９を介して撮影レンズの絞りを絞り込み、その後、２秒間待機してから露出動作する。
【００１２】
なお本実施形態では、レリーズスイッチＳＷＲのオンによるレリーズ実行指令では、通常レリーズモードのみでレリーズ処理が実行され、ミラーアップ後２秒セルフタイマモード及び１０秒セルフタイマモードの設定は、リモコン装置６０の操作によってのみ可能となっている。
【００１３】
ＣＰＵ１０には、さらに、撮影に関する情報を表示する表示用ＬＣＤ２９、セルフタイマが経過したときに報知音を発生するセルフタイマ用圧電ブザー３１が接続されている。
【００１４】
図２は、カメラ１とは別個に形成されたリモコン装置６０の制御系の主要構成を示すブロック図である。リモコンＣＰＵ６１は、制御用のプログラム等が書き込まれたＲＯＭ、制御用または演算用の各種パラメータなどを一時的に記憶するＲＡＭを内蔵している。リモコンＣＰＵ６１は、バッテリ６３から供給された電圧によって発振子６５を作動させ、発振子６５から出力されるクロックパルスに同期して動作する。
【００１５】
リモコンＣＰＵ６１には、通常レリーズスイッチ６７、１０秒セルフタイマレリーズスイッチ６９、ミラーアップ後２秒セルフタイマレリーズスイッチ７１が接続されている。これら各スイッチ６７、６９、７１は、リモコン装置６０に設けられた通常レリーズボタン、１０秒セルフタイマレリーズボタン、ミラーアップ後２秒セルフタイマレリーズボタン（すべて不図示）が押されたときにそれぞれオンするスイッチである。リモコンＣＰＵ６１内のＲＯＭ（不図示）には予め各レリーズモード毎に付与された識別コードが格納されていて、リモコンＣＰＵ６１は、オン操作されたスイッチに対応するレリーズモードの識別コードに対応して、所定のタイミングでトランジスタ７３をオン／オフさせ、その結果、赤外発光ダイオード７５の発光／非発光により光変調されたシリアル信号を生成し、このシリアル信号をリモコンレリーズ信号としてカメラ１へ送信する。例えば、通常レリーズスイッチ６７がオンすると、通常リモコンレリーズ信号としてシリアル信号（００００００）を出力させる（図３（ａ））。同様に、１０秒セルフタイマレリーズスイッチ６９、ミラーアップ後２秒セルフタイマレリーズスイッチ７１がオンしたときは、１０秒セルフタイマリモコンレリーズ信号としてシリアル信号（０００００１）が、ミラーアップ後２秒セルフタイマリモコンレリーズ信号としてシリアル信号（００００１１）が赤外発光ダイオード７５からそれぞれ出力される（図３（ｂ）、（ｃ））。なお、図３では、基準となるローパルス幅を０で表し、基準となるローパルス幅の２倍となっているローパルス幅を１で表してある。
【００１６】
以上の構成に基づき、カメラ１の動作について、図４、図５のフローチャートを参照して説明する。このフローチャートは、ＣＰＵ１０の内蔵ＲＯＭに書き込まれたプログラムによって制御する処理である。
【００１７】
図４は、カメラ１のメイン処理であって、バッテリ１１がカメラ１に装填されているときの処理である。バッテリ１１が装填されるとＣＰＵ１０は、各入出力ポート、内蔵ＲＡＭなどを初期化し（Ｓ１１）、ＣＰＵ１０に接続された周辺回路を初期化し（Ｓ１３）、各スイッチ状態を入力してＲＡＭにメモリし（Ｓ１５）、表示処理を実行する（Ｓ１７）。Ｓ１７の表示処理では、例えば撮影枚数などの撮影前に必要な情報を表示用ＬＣＤ２９に表示させる。
【００１８】
続いて、Ｓ１５でＲＡＭにメモリしたスイッチ情報からリモコンスイッチＳＷｒｍがオンしているか否かをチェックする（Ｓ１９）。リモコンスイッチＳＷｒｍがオンしていなければＳ２１をスキップし（Ｓ１９；Ｎ）、リモコンスイッチＳＷｒｍがオンしていればリモコン信号受信処理を実行する（Ｓ１９；Ｙ、Ｓ２１）。リモコン信号受信処理では、リモコン信号受光ＩＣ２７からの入力がハイレベルになったとき（リモコン装置６０から送信されたリモコンレリーズ信号の１パルス目（ハイパルス）を入力したとき）に、リモコンレリーズ信号を入力したと判断し、受信処理（パルス検出処理）を実行する。なお、リモコン信号受光ＩＣ２７からの入力がハイレベルにならなかったとき（リモコンレリーズ信号が送信されなかったとき）は、リモコン信号受信処理では何も実行されない。本実施形態では、ＣＰＵ１０が確実にリモコンレリーズ信号を認識できるように、リモコンレリーズ信号は最初の１パルス（ハイパルス）分だけ長くなっている（図３参照）。
【００１９】
そして、測光スイッチＳＷＳがオンしていたか否かをチェックし（Ｓ２３）、測光スイッチＳＷＳがオンしていなければレリーズスイッチＳＷＲがオンしていたか否かをチェックし（Ｓ２３；Ｎ、Ｓ２５）、レリーズスイッチＳＷＲがオンしていなければリモコンレリーズ信号の入力があったか否かをチェックする（Ｓ２５；Ｎ、Ｓ２７）。測光スイッチＳＷＳ及びレリーズスイッチＳＷＲのいずれもがオンしておらず、かつリモコンレリーズ信号の入力がなかったときは（Ｓ２７；Ｎ）、測光スイッチＳＷＳまたはレリーズスイッチＳＷＲのオンによる割り込み及びリモコンレリーズ信号による割り込みを許可し（Ｓ２９）、低消費電力モード（スリープ状態）に移行する（Ｓ３１）。そして、測光スイッチＳＷＳまたはレリーズスイッチＳＷＲがオンしたか、あるいはリモコンレリーズ信号を入力したときは、通常モードへ復帰して（Ｓ３３）、測光スイッチＳＷＳ、レリーズスイッチＳＷＲ、及びリモコンレリーズ信号の割り込みを全て禁止し（Ｓ３５）、Ｓ１５へ戻る。
【００２０】
測光スイッチＳＷＳがオンしていたとき（Ｓ２３；Ｙ）、レリーズスイッチＳＷＲがオンしていたとき（Ｓ２５；Ｙ）、リモコンレリーズ信号を入力していたとき（Ｓ２７）のいずれかに該当するときは、Ｓ３７へ進み、各スイッチ状態を入力してＲＡＭにメモリする（Ｓ３７）。続いて、測光用ＩＣ２５を介して測光値Ｂｖ（測光信号）を入力し（Ｓ３９）、入力した測光値Ｂｖ及びフィルム感度等に基づいて測光演算（ＡＥ演算）を実行して適正シャッター速度及び絞り値を求め、表示用ＬＣＤ２９に表示する（Ｓ４１、Ｓ４３）。
【００２１】
そして、リモコンスイッチＳＷｒｍがオンしているか否かをチェックし（Ｓ４５）、リモコンスイッチＳＷｒｍがオンしていないときはＳ４７をスキップし（Ｓ４５；Ｎ）、リモコンスイッチＳＷｒｍがオンしているときはリモコン信号受信処理を実行し（Ｓ４５；Ｙ、Ｓ４７）、レリーズスイッチＳＷＲがオンしているか否かをチェックする（Ｓ４９）。レリーズスイッチＳＷＲがオンしていなければ、リモコンレリーズ信号の入力があったか否かをチェックする（Ｓ４９；Ｎ、Ｓ５１）。レリーズスイッチＳＷＲがオンしていたとき（Ｓ４９；Ｙ）、またはリモコンレリーズ信号の入力があったときは（Ｓ５１；Ｙ）、後述するレリーズ処理を実行してＳ３７へ戻る（Ｓ５３）。
レリーズスイッチＳＷＲがオンしておらず、且つリモコンレリーズ信号の入力がなかったときは（Ｓ５１；Ｎ）、測光スイッチＳＷＳがオンしているか否かをチェックする（Ｓ５５）。測光スイッチＳＷＳがオンしていればＳ３７へ戻り（Ｓ５５；Ｙ）、測光スイッチＳＷＳがオンしていなければＳ１５へ戻る（Ｓ５５；Ｎ）。
【００２２】
Ｓ５３で実行されるレリーズ処理について、図５に示されるフローチャートを参照して詳細に説明する。この処理に入ると先ず、１０秒セルフタイマリモコンレリーズ信号の入力があったか否かをチェックする（Ｓ７１）。１０秒セルフタイマリモコンレリーズ信号の入力があったときは、セルフタイマ１０秒処理を実行し（Ｓ７１；Ｙ、Ｓ７３）、１０秒セルフタイマリモコンレリーズ信号の入力がなかったときはＳ７３をスキップする（Ｓ７１；Ｎ）。このセルフタイマ１０秒処理では、１０秒タイマをスタートさせ、この１０秒タイマ時間が経過するまで待機する。なお、１０秒タイマ作動中はセルフタイマ用圧電ブザー３１を作動させ、１０秒タイマ時間経過したらセルフタイマ用圧電ブザー３１を停止する。
【００２３】
続いて、ミラー制御回路２１を作動させてミラーを撮影位置まで移動させるとともに、絞り制御回路１９を作動させて撮影レンズの絞りを適正絞り値まで絞り込み（Ｓ７５）、ミラーアップ後２秒セルフタイマリモコンレリーズ信号の入力があったか否かをチェックする（Ｓ７７）。ミラーアップ後２秒セルフタイマリモコンレリーズ信号の入力があったときは、セルフタイマ２秒処理を実行し（Ｓ７７；Ｙ、Ｓ７９）、ミラーアップ後２秒セルフタイマリモコンレリーズ信号の入力がなかったときはＳ７９をスキップする（Ｓ７７；Ｎ）。このセルフタイマ２秒処理では、２秒タイマをスタートさせ、この２秒タイマ時間が経過するまで待機する。なお、２秒タイマ作動中はセルフタイマ用圧電ブザー３１を作動させ、２秒タイマ時間経過したらセルフタイマ用圧電ブザー３１を停止する。
【００２４】
そして、シャッター制御回路１７を介して適正シャッター速度に基づいてシャッター幕を走行させてフィルムを露出し（Ｓ８１）、ミラー制御回路２１を介してミラーを被写体観察位置までダウンさせるとともに、フィルム制御回路２３を介してフィルムを１コマ分巻き上げ、メイン処理へリターンする（Ｓ８３）。
【００２５】
即ち、レリーズスイッチＳＷＲのオンまたは通常リモコンレリーズ信号によりレリーズ処理に入った場合には、ミラーをアップさせるとともに絞りを絞りこみ、シャッター幕を走行させて露出し、露出後にフィルムを巻き上げる（Ｓ７１；Ｎ、Ｓ７５、Ｓ７７；Ｎ、Ｓ８１、Ｓ８３）。
１０秒セルフタイマレリーズ信号によりレリーズ処理に入った場合には、先ず、１０秒セルフタイマが経過するまで待ち、１０秒経過した後にミラーをアップさせて絞りを絞り込み、シャッター幕を走行させて露出したらフィルムを巻き上げる（Ｓ７１；Ｙ、Ｓ７３、Ｓ７５、Ｓ７７；Ｎ、Ｓ８１、Ｓ８３）。
ミラーアップ後２秒セルフタイマレリーズ信号によりレリーズ処理に入った場合には、先ず、ミラーをアップさせて絞りを絞り込み、その後２秒タイマが経過するまで待機し、２秒経過したらシャッター幕を走行させて露出し、露出後はフィルムを巻き上げる（Ｓ７１；Ｎ、Ｓ７５、Ｓ７７；Ｙ、Ｓ７９、Ｓ８１、Ｓ８３）。
【００２６】
以上のように本実施形態では、リモコン装置６０により、ミラーをアップさせてから２秒後に露出動作するミラーアップ後２秒セルフタイマモードでレリーズを実行させるので、リモコン撮影においてもミラーアップ停止時の衝撃の影響を受けずに露出動作できる。したがって、ミラーの衝撃による像ぶれやフレーミング移動を防止することができる。
また本実施形態では、各モードに対応するレリーズボタン（通常レリーズボタン、１０秒セルフタイマレリーズボタン、ミラーアップ後２秒セルフタイマレリーズボタン）をリモコン装置６０に設けてあるので、各モードを設定する必要がなく、各レリーズボタンを押すだけで済み、操作が簡単である。
なお本実施形態では、シャッタボタン（レリーズスイッチＳＷＲのオン）によるレリーズ処理を常に通常モードとしているが、例えば、上記の通常レリーズモード、１０秒セルフタイマモード、ミラーアップ後２秒セルフタイマモードを少なくとも含むレリーズモードのうち、いずれか１つを選択するモード選択手段をカメラ側に設け、通常リモコンレリーズ信号を入力したら、通常レリーズモードではなく、モード選択手段によって選択されたモードでレリーズ処理を実行する構成にもできる。ただし、ミラーアップ後２秒セルフタイマーモードに関していうと、撮影倍率が高い接写撮影においてはカメラのシャッタボタン（レリーズボタン）の押圧操作によってフレーミングがずれる可能性があるため、本実施形態のようにリモコン側で設定、実行できるのが望ましい。
【００２７】
【発明の効果】
本発明によれば、リモコン装置が送信するリモコンレリーズ信号により、ミラーを撮影位置まで移動させてから所定時間経過後に露出動作するミラーアップ後セルフタイマモードでカメラにレリーズを実行させるので、ミラーアップ停止時の衝撃およびフレーミングのずれを防止することができる。
【図面の簡単な説明】
【図１】  本発明を適用した一眼レフカメラの制御系の主要構成をブロックで示す図である。
【図２】  同一眼レフカメラとは別個に形成されたリモコン装置の制御系の主要構成を示すブロック図である。
【図３】  同リモコン装置から送信されるリモコンレリーズ信号を示す図であり、（ａ）は通常リモコンレリーズ信号、（ｂ）は１０秒セルフタイマリモコンレリーズ信号、（ｃ）はミラーアップ後２秒セルフタイマリモコンレリーズ信号をそれぞれ示している。
【図４】  同一眼レフカメラのメイン処理に関するフローチャートを示す図である。
【図５】  同一眼レフカメラのレリーズ処理に関するフローチャートを示す図である。
【符号の説明】
１  カメラ
１０  ＣＰＵ
２１  ミラー制御回路
２７  リモコン信号受光ＩＣ
６０  リモコン装置
６１  リモコンＣＰＵ
６７  通常レリーズスイッチ
６９  １０秒セルフタイマレリーズスイッチ
７１  ミラーアップ後２秒セルフタイマレリーズスイッチ
【図１】
0003809052.tif 000002
【図２】
0003809052.tif 000003
【図３】
0003809052.tif 000004
【図４】
0003809052.tif 000005
【図５】
0003809052.tif 000006